(57)【特許請求の範囲】
【請求項１】
不透明な材質からなる遊技盤の盤面上に設けられたガイドレールによって区画形成される遊技領域には、始動入賞口と、該始動入賞口より上方位置に表示装置と、該表示装置の表示画面の外周付近にあって、前記遊技盤に貫設された孔に装着されるセンター装飾部材を有しており、
前記表示画面は、前記遊技盤に貫設された前記孔の内部に、遊技者から直接視認可能な状態で配設されており、
前記センター装飾部材と前記ガイドレール間に、障害部材が設置されることで、前記始動入賞口へ向けてのパチンコ球の流下方向を変更する転動領域が形成されており、
前記センター装飾部材には、前記遊技盤の盤面と略同一平面レベルの位置にあって、前記遊技盤の盤面と略平行な面と、該盤面と略平行な面に交差するように、遊技者側に突出する面が形成されており、該遊技者側に突出する面の一部であって、前記センター装飾部材の略斜め上方側の隅付近には、傾斜面が形成されていることにより、前記ガイドレールに沿って発射されたパチンコ球が、遊技領域内に侵入した際に、前記傾斜面に沿って流下し、該傾斜面より下流側の前記障害部材によって、所望の確率で前記始動入賞口に案内されるようになっており、
かつ、前記センター装飾部材は、
不透明な樹脂と光透過性材質からなる透明な樹脂とで形成されていて、前記表示画面と重なる領域が透明な樹脂で構成され、前記表示画面と重ならない領域が不透明な樹脂で構成されると共に、前記転動領域を転動流下するパチンコ球が通過可能なワープルートが形成されていて、該ワープルートの一部が前記表示画面と重なる位置に配設され、少なくとも前記ワープルートの前記表示画面と重なる部分が透明な樹脂で構成された本体枠と、
該本体枠の前記表示画面と重ならない領域における前記ワープルート近傍に取り付けられ、前記盤面と略平行な面に、少なくとも一部が光透過性材質からなる光透過面が設けられており、該光透過面から遊技者側に突出する障害部材が該光透過面と一体に形成されており、前記光透過面の反遊技者側には、該光透過面を通して遊技者側に向けて光を照射する発光手段が設けられた固定板を有していることを特徴とするパチンコ機。
【請求項２】
不透明な材質からなる遊技盤の盤面上に設けられたガイドレールによって区画形成される遊技領域には、始動入賞口と、該始動入賞口より上方位置に表示装置と、該表示装置の表示画面の外周付近にあって、前記遊技盤に貫設された孔に装着されるセンター装飾部材を有しており、
前記表示画面は、前記遊技盤に貫設された前記孔の内部に、遊技者から直接視認可能な状態で配設されており、
前記センター装飾部材と前記ガイドレール間に、障害部材が設置されることで、前記始動入賞口へ向けてのパチンコ球の流下方向を変更する転動領域が形成されており、
前記センター装飾部材には、前記遊技盤の盤面と略同一平面レベルの位置にあって、前記遊技盤の盤面と略平行な面と、該盤面と略平行な面に交差するように、遊技者側に突出する面が形成されており、該遊技者側に突出する面の一部であって、前記センター装飾部材の略斜め上方側の隅付近には、傾斜面が形成されていることにより、前記ガイドレールに沿って発射されたパチンコ球が、遊技領域内に侵入した際に、前記傾斜面に沿って流下し、該傾斜面より下流側の前記障害部材によって、所望の確率で前記始動入賞口に案内されるようになっており、
かつ、前記センター装飾部材は、
不透明な樹脂と光透過性材質からなる樹脂とで形成されていて、前記表示画面と重なる領域が光透過性材質からなる透明な樹脂で構成され、前記表示画面と重ならない領域が不透明な樹脂で構成されており、
前記転動領域を転動流下するパチンコ球が通過可能なワープルートが形成されていて、該ワープルートの一部が前記表示画面と重なる位置に配設され、少なくとも前記ワープルートの前記表示画面と重なる部分が透明な樹脂で構成されており、
前記表示画面と重ならない領域における前記ワープルート近傍の前記盤面と略平行な面には、少なくとも一部が光透過性材質からなる光透過面が設けられており、該光透過面から遊技者側に突出する障害部材が該光透過面と一体に形成されており、前記光透過面の反遊技者側には、該光透過面を通して遊技者側に向けて光を照射する発光手段が設けられていることを特徴とするパチンコ機。
【発明の詳細な説明】
【技術分野】
【０００１】
本発明は、パチンコ機に関し、特にパチンコ機が備えるセンター装飾部材の構造に関する。
【背景技術】
【０００２】
従来のパチンコ機では、例えば、特許文献１に記載されているように、遊技領域の中央の位置に配置された表示画面を囲むようにしてセンター役物（「センター装飾部材」に対応するもの）が配置されている。
【０００３】
そして、近年では、ＬＥＤなどの発光手段を遊技盤上に可能な限り多く設ける傾向にある。
【特許文献１】特開２００５−１３７０３号公報
【発明の開示】
【発明が解決しようとする課題】
【０００４】
しかしながら、近年、表示画面は大型サイズのものが配置されるようになってきているため、センター役物の外側に位置する遊技領域、ひいては、遊技領域内でパチンコ球が転動流下可能な転動領域が狭くなる傾向にあり、入賞率を考慮した遊技釘のレイアウトに対して非常に厳しい制約が生じていた。
【０００５】
具体的に言えば、表示画面のサイズが、例えば１５インチなど、大型になればなるほど、遊技釘のレイアウトの自由度は減っていくため、センター役物の略斜め上部から横外側を転動流下するパチンコ球を減速させることを目的として遊技釘の配置を設計する際や、センター役物の下外側に配置された始動入賞口に向かって案内させることを目的として遊技釘の道筋を設計する際に、入賞率の調整を行うことが非常に困難となる。
一方、入賞率の調整においては、遊技釘のレイアウトだけでなく、センター役物の略斜め上方部に形成された傾斜面の傾斜角度も大きく影響する。なぜなら、その傾斜角度を変化させれば、その傾斜面に衝突した発射球の勢いに変化が生じて、パチンコ球が遊技釘に衝突しながら始動入賞口に向かう確率も変化するからである。
これらのことは、表示画面のサイズが大型になればなるほど、入賞率を考慮した遊技釘の配置等、レイアウトに対する制約を厳しくするものである。
従って、遊技釘の配置等、レイアウトに対する制約に対して、ゆとりある設計ができるようにするには、センター役物周辺の領域、即ち、遊技釘等を配置することでパチンコ球が始動口へ流下するまでの転動領域のスペースを十分に確保することが必要である。
このような入賞率を考慮した遊技釘の配置等、レイアウトに対する制約が厳しくなる下で、更に、センター役物の側方で障害釘が埋設された転動領域内に、複数のＬＥＤ素子が搭載された基板（発光手段）を設置しようとすると、その基板が、パチンコ球の直径より大きな寸法にあれば、その転動領域内に遊技釘を設けることができなくなる場合がある。
以上の点は、表示画面のサイズが、例えば１３インチなど、従来と同じであったとしても、例えば、センター役物の外側のいずれか一方（左右いずれか一方）の転動領域に大型役物又は装飾可動物や多数の役物を配置させる場合には、表示画面とともにセンター役物を大型役物などの配置側とは反対方向に移動させて偏った配置をしなければならず、転動領域が狭くなることから、同様にして懸念される。
【０００６】
そこで、本発明は、上述した点を鑑みてなされたものであり、センター装飾部材によって外周が取り囲まれた表示画面が大型化又は偏在されても、表示画面の視認に支障がないようにセンター装飾部材の側方の転動領域のスペースを十分に確保できる構造のパチンコ機を提供することを課題とする。
更に、本発明は、転動領域にＬＥＤなどの発光手段を設けても、転動領域内に障害部材を十分確保することで、パチンコ球が始動入賞口へ向かう確率を安定させ易いパチンコ機を提供することを課題とする。
【課題を解決するための手段】
【０００７】
この課題を解決するために成された請求項１及び２に係る発明のパチンコ機では、センター装飾部材に、転動領域を転動流下するパチンコ球が通過可能なワープルートが形成されていて、ワープルートの一部が、不透明な材質からなる遊技盤に貫設された孔の内部に遊技者から直接視認可能な状態で配設された表示装置の表示画面と重なる位置に配設され、少なくともワープルートの表示画面と重なる部分が透明な樹脂で構成されており、センター装飾部材の傾斜面より下流側であって、表示画面と重ならない領域におけるワープルート近傍には、遊技盤の盤面と略同一平面レベルの位置における、センター装飾部材に形成された盤面と略平行な面に、少なくとも一部が光透過性材質からなる光透過面が設けられており、該光透過面から遊技者側に突出する障害部材が光透過面と一体に形成されており、光透過面の反遊技者側には、光透過面を通して遊技者側に向けて光を照射する発光手段が設けられている。
また、請求項１に係る発明のパチンコ機では、センター装飾部材の本体枠が、不透明な樹脂と光透過性材質からなる透明な樹脂とで形成されていて、表示画面と重なる領域が透明な樹脂で構成され、表示画面と重ならない領域が不透明な樹脂で構成されている。
また、請求項２に係る発明のパチンコ機では、センター装飾部材が、不透明な樹脂と光透過性材質からなる樹脂とで形成されていて、表示画面と重なる領域が光透過性材質からなる透明な樹脂で構成され、発光手段が設けられた箇所を除く表示画面と重ならない領域が不透明な樹脂で構成されている。
従って、センター装飾部材に設けられた光透過面と一体に形成された障害部材が、センター装飾部材の傾斜面より下流側の転動領域に形成されていることによって、始動入賞口へ向かうパチンコ球の流れを安定させることができる。
また、障害部材と一体の上記光透過面の反遊技者側に、該光透過面を通して遊技者側に向けて光を照射する発光手段を設けることで、障害部材を避けるように、発光手段を設けなくても良くなるので、発光手段の大きさが制限されることがない。逆に言うと、発光手段を避けるように、障害部材を設けなくても良くなるので、限られた転動領域における障害部材の配置設計がし易くなる。
更には、パチンコ球を流下させる傾斜面が形成されたセンター装飾部材に、障害部材が設けられることで、遊技盤にセンター装飾部材と障害部材を別々に取り付けるより、センター装飾部材の成形による寸法誤差は少ないことから、始動入賞口へ向かうパチンコ球の流れを安定させることができる。
この為、表示画面が大型化又は偏在されても、センター装飾部材の側方スペースを確保できるので表示画面の視認に支障をきたすことなく、始動入賞口へ向かうパチンコ球の流れを安定させることができる。
【発明を実施するための最良の形態】
【０００８】
以下、本発明の実施の形態を図面を参照にして説明する。図１は、本実施の形態のパチンコ機の遊技盤２０２を示した正面図である。遊技盤２０２の盤面２０２Ａには、略円形状の外レール２０６Ａと内レール２０６Ｂとが設けられており、外レール２０６Ａ及び内レール２０６Ｂの内縁で囲まれた領域をもって、遊技領域２０７を形成している。さらに、図７に示すように遊技盤２０２の盤面２０２Ａの遊技領域２０７には、後述するセンター装飾部材２０５の外周形状に類似する形状であって、センター装飾部材２０５の外周寸法より小さい寸法の孔（中央開口部２０４、配置開口部３３１）が設けられている。そして、図示されないが、表示制御基板と一緒に透明なケースに収納されユニット化された液晶表示装置が、遊技盤２０２の裏面の所定位置に、螺子などで固定される。
一方、遊技盤２０２の表面（正面）には、図１に示すように、センター装飾部材２０５の一部が、遊技盤２０２に形成された孔（中央開口部２０１、配置開口部３３１）の一部を塞ぐように、且つ、後述するセンター装飾部材２０５の第１開口部３０２が、液晶表示装置の表示画面２０３の周囲を取り囲むように、センター装飾部材２０５が遊技盤２０２に螺子などによって固定される。
【０００９】
そこで、ここからは、センター装飾部材２０５を図面に基づいて説明する。図３にセンター装飾部材２０５の正面図を示し、図４にセンター装飾部材２０５の背面図を示し、図５にセンター装飾部材２０５の分解斜視図を示し、図６にセンター装飾部材２０５の斜視図を示す。図３〜図６に示すように、センター装飾部材２０５では、その本体枠３０１に対しては固定板３１１が取り付けられ、固定板３１１に対しては発光素子基盤３２１が取り付けられている。
【００１０】
この点、本体枠３０１には、第１開口部３０２が設けられているとともに、固定板３１１を取り付けるための第２開口部３０３が設けられている。そして、第１開口部３０２や第２開口部３０３の周辺には、センター装飾部材２０５が遊技盤２０２の盤面２０２Ａに固定された際に遊技盤２０２の盤面２０２Ａと接面する各基底片面４０１Ａ，４０１Ｂ，４０１Ｃ，４０１Ｄ，４０１Ｅが形成され、さらに、センター装飾部材２０５が遊技盤２０２の盤面２０２Ａに固定された際に遊技盤２０２の盤面２０２Ａに対して垂直した状態となる屈曲した突出片面４０２が形成されている。
特に、突出片面４０２の一部によって、第１開口部３０２と第２開口部３０３の間にワープルート３０４が形成され、また、ワープルート３０４の上部を構成するとともに上中央付近から左横に向かって下りに傾斜する傾斜片面４０３が形成されている。
【００１１】
本体枠３０１の基底片面４０１Ａ，４０１Ｂ，４０１Ｄ、及び、突出片４０２、傾斜片面４０３の一部、即ち、遊技者側から見て、後述する表示画面２０３と重なる一部の領域と、ワープルート３０４が、無色透明の光透過性材質であるポリカーボーネート樹脂で形成され、上記の表示画面２０３に重なることがない他の領域及び、基底片面４０１Ｃ，４０１Ｅが有色で、且つ、不透明である樹脂を使って、一体的に二色成形されている。
よって、有色樹脂で形成された部分が、遊技盤２０２に形成された孔（中央開口部２０１、配置開口部３３１）を塞いでおり、有色、且つ、不透明である為、遊技盤２０２の裏側が遊技者は視認できない。
なお、センター装飾部材２０５の基底片面４０１Ａ，４０１Ｂ，４０１Ｃ，４０１Ｄ，４０１Ｅから突出片面４０２が突出した方面が「遊技者側」となる。従って、「反遊技者側」とは、センター装飾部材２０５の基底片面４０１Ａ，４０１Ｂ，４０１Ｃ，４０１Ｄ，４０１Ｅから遊技盤２０２の盤面２０２Ａに向かう方面をいう。
【００１２】
また、固定板３１１には、その表面において、ジグザグ状の複数の突出片面３１２が形成されている。そして、本体枠３０１の第２開口部３０３に対し固定板３１１が螺子で固定されると、固定板３１１の表面に列設されたジグザグ状の複数の突出片面３１２によって、本体枠３０１の第２開口部３０３に案内溝３１３が形成される。この点、案内溝３１３の各溝は、パチンコ球が転動可能な間隔を有していることから、遊技釘を使用することなくパチンコ球を誘導することが可能となる。
尚、複数の突出片面３１２が列設された固定板３１１は、光透過性材質であるポリカーボーネート樹脂で一体的に成型加工される。但し、このポリカーボーネート樹脂は、光が透過するものであれば、有色又は無色、透明又は非透明のいずれであってもよい。
【００１３】
また、発光素子基盤３２１には、複数のＬＥＤ発光素子３２２が搭載されている。そして、発光素子基盤３２１は、各ＬＥＤ発光素子３２２の搭載面が固定板３１１に対向した状態で、固定板３１１の背面に螺子で固定される。
【００１４】
次に、図７に基づいて説明する。遊技盤２０２の盤面２０２Ａには、上記中央開口部２０４と連なるようにして配置開口部３３１が設けられている。そして、遊技盤２０２に対してセンター装飾部材２０５を組み付けると、センター装飾部材２０５を構成する本体枠３０１の第１開口部３０２は遊技盤２０２の中央開口部２０４に重なり合い、また、センター装飾部材２０５を構成する本体枠３０１の第２開口部３０３は遊技盤２０２の配置開口部３３１に重なり合う。従って、遊技盤２０２に対してセンター装飾部材２０５が組み付けられた状態では、遊技盤２０２の配置開口部３３１は、センター装飾部材２０５の第２開口部３０３に固定された固定板３１１で塞がれることになる。そして、このとき、固定板３１１の背面に固定された発光素子基盤３２１の各ＬＥＤ発光素子３２２は遊技盤２０２の配置開口部３３１に内置され、固定板３１１の表面に形成された突出片面３１２などで構成する案内溝３１３は遊技盤２０２上に存置される。
【００１５】
また、図１に示すように、遊技盤２０２の盤面２０２Ａにセンター装飾部材２０５を固定した状態では、センター装飾部材２０５の傾斜片面４０３は、上述したように、センター装飾部材２０５の上中央付近から左横に向かって下り勾配を有した斜面となる。
【００１６】
また、遊技盤２０２の盤面２０２Ａに形成された遊技領域２０７においては、センター装飾部材２０５の突出片面４０２がその上中央外側から右横外側にかけて外側レール２０６Ａ及び内側レール２０６Ｂの各内縁と非常に接近しており、その接近した領域にパチンコ球が侵入することを阻止するために、返し部材２０８がセンター装飾部材２０５の上中央外側付近に設けられている。
【００１７】
さらに、遊技盤２０２の盤面２０２Ａに形成された遊技領域２０７内においては、上述したセンター装飾部材２０５や返し部材２０８に加えて、風車２１１、第１始動口２１４及び開閉式のチューリップ状羽根２１５Ａを有した第２始動口２１５（本発明の「始動入賞口」に相当する）、ゲート２１６、大入賞口２１７、アウト口２１８、電飾部材２３１Ａ，２３１Ｂなどが配設されている。従って、遊技盤２０２の盤面２０２Ａに形成された遊技領域２０７内のうち、表示画面２０３を含めたセンター装飾部材２０５（但し、基底片面４０１Ａ、案内溝３１３を除く）や、返し部材２０８、風車２１１、第１始動口２１４、第２始動口２１５、ゲート２１６、大入賞口２１７、アウト口２１８、電飾部材２３１Ａ，２３１Ｂなどを排除した領域でパチンコ球が転動流下することが可能な転動領域２３２が形成されている。
【００１８】
そして、センター装飾部材２０５の上中央外側から上左外側にかけて形成された遊技領域２０７には、複数の遊技釘２０９が配設されているが、さらに、センター装飾部材２０５の基底片面４０１Ａやワープルート３０４の上部が配設されている。
また、センター装飾部材２０５の左横外側に形成された遊技領域２０７には、複数の遊技釘２１０や、風車２１１が配設されているが、さらに、センター装飾部材２０５の案内溝３１３やワープルート３０４の下部が配設されている。
さらに、センター装飾部材２０５の下外側に形成された遊技領域２０７には、誘導釘などを形成する複数の遊技釘２１３や、第１始動口２１４、チューリップ部材２１５Ａを有した第２始動口２１５、ゲート２１６、大入賞口２１７、アウト口２１８などが配設されているが、さらに、センター装飾部材２０５の基底片面４０１Ｄが配設されている。
【００１９】
図２は、本実施の形態のパチンコ機１を示した正面図である。本実施の形態のパチンコ機１では、図１で示した遊技盤２０２が取り付けられており、さらに、上皿２１９や、下皿２２０、ハンドル２２１などが設けられている。従って、本実施の形態のパチンコ機１においては、上皿２１９に集められたパチンコ球をハンドル２２１の操作により遊技者が発射させると、その発射球が、外側レール２０６Ａに沿って上昇転動して転動領域２３２に放出され、センター装飾部材２０５や、その基底片面４０１Ａ，４０１Ｄ、案内溝３１３、ワープルート３０４、あるいは、返し部材２０８、外側レール２０６Ａ、内側レール２０６Ｂ、遊技釘２０９，２１０，２１３、風車２１１などに衝突・案内されながら転動流下し、第１始動口２１４や、第２始動口２１５、大入賞口２１７に入賞したり、ゲート２１６やアウト口２１８を通過する。なお、本実施の形態のパチンコ機１は、第１始動口２１４や第２始動口２１５にパチンコ球が入賞すると、主制御基板（図示せず）が大当りか否かの抽選を行い、その抽選結果に基づく表示指定を表示制御基板（図示せず）に伝達し、表示制御基板（図示せず）が、表示画面２０３に大当りか否かの抽選結果を示すように表示制御を行う周知のパチンコ機である。
【００２０】
以上詳細に説明したように、本実施の形態のパチンコ機１においては、遊技盤２０２と、前記遊技盤２０２の盤面２０２Ａ上に設けられた外側レール２０６Ａ及び内側レール２０６Ｂ（本発明の「ガイドレール」に相当するもの）と、前記外側レール２０６Ａ及び内側レール２０６Ｂによって前記遊技盤２０２の盤面２０２Ａ上に区画形成された遊技領域２０７と、前記遊技盤２０２の盤面２０２Ａ上に設けられるとともに前記遊技領域２０７内に貫設された中央開口部２０４と、前記遊技盤２０２の盤面２０２Ａ上に設けられるとともに前記遊技領域２０７内で前記中央開口部２０４に配設された表示画面２０３と、前記遊技盤２０２の盤面２０２Ａ上に遊技者側に向けて突設されるとともに前記遊技領域２０７内で前記表示画面２０３の外周を取り囲んで配設されたセンター装飾部材２０５と、前記遊技盤２０２の盤面２０２Ａ上に設けられるとともに前記遊技領域２０７内で前記中央開口部２０４と連通して貫設された配置開口部３３１と、前記センター装飾部材２０５に形成されるとともに前記遊技領域２０７内で前記配置開口部３３１に配設された第２開口部３０３と、前記センター装飾部材２０５の第２開口部３０３に取り付けられることによってパチンコ球を誘導するための案内溝３１３を形成する突出片面３１２（本発明の「障害部材」に相当するもの）を遊技者側に向けて突設させた固定板３１１（本発明の「透明な面」に相当するもの）と、前記表示画面２０３と前記センター装飾部材２０５と前記固定板３１１の案内溝３１３が配設されることによって前記遊技領域２０７内に形成されるとともに前記遊技盤２０２の盤面２０２Ａ上でのパチンコ球の流下方向を変更する転動領域２３２と、を有するとともに、前記センター装飾部材２０５には前記遊技盤２０２の盤面２０２Ａと略同一平面レベルの位置にあって、盤面２０２Ａと略平行な基底片面４０１Ａ、４０１Ｂ、４０１Ｃ、４０１Ｄ、４０１Ｅと前記基底片面４０１Ａ、４０１Ｂ、４０１Ｃ、４０１Ｄ、４０１Ｅから遊技者側に向けて突設された突出片面４０２と前記突出片面４０２の一部として当該センター装飾部材２０５の略斜め左上方隅付近に設けられた傾斜片面４０３（本発明の「傾斜面」に相当するもの）とが形成されており、前記外側レール２０６Ａに案内されて前記転動領域２３２内に侵入したパチンコ球が前記センター装飾部材２０５の傾斜片面４０３に沿って流下すれば前記センター装飾部材２０５の傾斜片面４０３と比べて流下方向に位置する前記固定板３１１の案内溝３１３に向かって案内される。
【００２１】
さらに、本実施の形態のパチンコ機１においては、前記固定板３１１は光透過性材質をもって形成されるとともに、前記固定板３１１の反遊技者側には前記固定板３１１を通して遊技者側に向けて光を照射するＬＥＤ発光素子３２２が設けられている。
【００２２】
すなわち、本実施の形態のパチンコ機１では、図１に示すように、センター装飾部材２０５を遊技盤２０２に配設すると、遊技盤２０２上の遊技領域２０７内の中央開口部２０４に配設される表示画面２０３の外周をセンター装飾部材２０５で取り囲むとともに、遊技盤２０２上の遊技領域２０７内で中央開口部２０４と連通した配置開口部３３１（図７参照）に対しセンター装飾部材２０５の第２開口部３０３が重なり合うので組み付け易い。このとき、図３〜図６に示すように、センター装飾部材２０５の第２開口部３０３に取り付けられた固定板３１１の遊技者側では、突出片面３１２で形成された案内溝３１３が転動領域２３２内において突出しており（図１参照）、また、センター装飾部材２０５の第２開口部３０３に取り付けられた固定板３１１の反遊技者側では、ＬＥＤ発光素子３２２を設けた発光素子基盤３２１（「本発明の「発光手段」に相当するもの）が取り付けられることによって、光透過性材質で形成された固定板３１１を通してＬＥＤ発光素子３２２が遊技者側に向けて光を照射している。これにより、固定板３１１上の案内溝３１３にパチンコ球が転動流下中でもＬＥＤ発光素子３２２は遊技者側に向けて光を照射することができる。
【００２３】
従って、センター装飾部材２０５の略斜め上方隅付近に形成された傾斜片面４０３に衝突したパチンコ球は、センター装飾部材２０５の傾斜片面４０３と比べて流下方向に位置し固定板３１１の遊技者側に設けられた案内溝３１３に向かって転動流下し、さらに、当該案内溝３１３によって転動流下方向が誘導されることになるが、このとき、固定板３１１の反遊技者側に設けられたＬＥＤ発光素子３２２と衝突することはないのでその誘導の妨げとなることはない。これにより、入賞率に影響するパチンコ球の流れを安定させることができる。また、そのパチンコ球の流れを形成する傾斜片面４０３や（案内溝３１３を突出片面３１２で形成した固定板３１１が取り付けられる）第２開口部３０３はセンター装飾部材２０５に一体的に成型加工されるが、その成形加工による寸法誤差は少ないことから、パチンコ球の流れを安定させる性能が優れている。
なお、本実施の形態においては、センター装飾部材２０５に第２開口部３０３を形成し、その第２開口部３０３に固定板３１１を取り付けているが、突出片面３１２を含めて固定版３１１をセンター装飾部材２０５と一体で成形しても良い。
【図面の簡単な説明】
【００２４】
【図１】本発明の一実施形態を示したパチンコ機の遊技盤を示した正面図。
【図２】同パチンコ機の正面図。
【図３】同パチンコ機のセンター装飾部材の正面図。
【図４】同パチンコ機のセンター装飾部材の背面図。
【図５】同パチンコ機のセンター装飾部材の分解斜視図。
【図６】同パチンコ機のセンター装飾部材の斜視図。
【図７】同パチンコ機の遊技盤を示した正面図。
【符号の説明】
【００２５】
１…パチンコ機、２０２…遊技盤、２０２Ａ…遊技盤の盤面、２０３…表示画面、２０４…遊技盤の中央開口部、２０５…センター装飾部材、２０６Ａ…外側レール、２０６Ｂ…内側レール、２０７…遊技領域、２３２…転動領域、３０３…センター装飾部材の第２開口部、３１１…固定板、３１２…固定板の突出片面、３１３…案内溝、３２２…ＬＥＤ発光素子、３３１…遊技盤の配置開口部、４０１Ａ，４０１Ｂ，４０１Ｃ，４０１Ｄ，４０１Ｅ…センター装飾部材の基底片面、４０２…センター装飾部材の突出片面、４０３…センター装飾部材の傾斜片面
【図１】
0005130649.tif 000002
【図２】
0005130649.tif 000003
【図３】
0005130649.tif 000004
【図４】
0005130649.tif 000005
【図５】
0005130649.tif 000006
【図６】
0005130649.tif 000007
【図７】
0005130649.tif 000008